(57)【特許請求の範囲】
【請求項１】
蝶番（２）により相互に連結され角度を付けたまたは湾曲した２つの可動部（３）で構成された能動部、および
前記蝶番を介して前記可動部（３）から延在する受動部（１）を有し、
各前記可動部は、正面形状において、左右対称に配置された可動顎（４）を有し、
前記可動顎は、後上大臼歯を後方かつ上方へ誘導するために、月を半割したごとき断面形状を形成し、前記断面形状は、２つの前記可動顎が相互に対して対面する凹状前面およびその反対面の凸状背面を有する円弧状面を形成し、かつ幅狭いエッジを前記凹状前面の縁部に有し、
２つの前記可動顎（４）は、正面形状において、相互から離れて円形もしくは楕円形に徐々に湾曲し尖端部で接近して終端し、かつ
各前記可動部（３）は、側面形状において、前記受動部（１）の長軸に対して蝶番（２）の部分で後方へ湾曲傾斜しかつ前記可動顎の部分で尖端部へ向かって前方に湾曲傾斜し、
それにより、前記可動顎は、閉鎖位置において雄牛の一対の角の外観を呈することを特徴とする後上大臼歯もしくはその残部のための抜歯鉗子。
【請求項２】
前記受動部（１）は、一対のハンドルであることを特徴とする、請求項１の抜歯鉗子。
【発明の詳細な説明】
【０００１】
【発明の属する技術分野】
本発明は差込み式（ｂａｙｏｎｅｔ）のエレベータに関し、更に具体的には後上大臼歯もしくはその残部のための抜歯を持ち上げる鉗子に関する。
【０００２】
【従来の技術】
多数の抜歯鉗子が既知であり、これらの抜歯鉗子は、２つの歯片もしくは２つの歯根間かつ／またはこれらの歯根と上顎骨間へ挿入して、歯片を閉じ込め、その端まで移動もしくは昇降させる。
抜歯鉗子は、相互に対して操作できる受動部、蝶番、および歯片を閉じ込める能動部から成るピンサー（鋏、やっとこ）である。
【０００３】
このエレベータ、即ち抜歯鉗子は直線状もしくは角度を付けたレバーまたはパンチの形態をとり、尖端部もしくは鋭利エッジを有し、平坦もしくは筋溝の付いた異なる長さの長手を有し、かつ操作を可能にする種々の形態のハンドルを有する。
上抜歯片用の鉗子は直線状、または可動部もしくは非可動部において異なる形態で湾曲し、または唇もしくは口の隅を付勢もしくは毀損することなく抜歯片の閉じ込めを促進するために最後部の大臼歯用として左右対称に配置された差込み式（ｂａｙｏｎｅｔ）能動部を有する。
【０００４】
大臼歯の歯冠が非常に後方位置にあり、極めて目立たず、口腔前庭もしくは口蓋方向へ変位している場合、または歯冠が少なからず破壊されている場合等において、従来差込み式鉗子を用いたかかる抜歯片の閉じ込めは困難であり、かかる場合には閉じ込めるときに歯冠を破折させる原因になる。
他の場合、その大臼歯を閉じ込めることができる場合であっても、その大きな湾曲した歯根が克服し難い強度を持ち、かつ歯根を破壊することなく大臼歯を移動させることは極めて困難である。
【０００５】
歯片の抜去もしくは脱臼を試みる他のエレベータの使用は口の後方でのかかる抜歯を困難にし、かつ上顎洞の引裂きもしくは穿孔の危険に通じ、また歯根の幾つかの残部をそれらを昇降させるのではなく上顎洞へ向けて押圧する危険さえあり、また抜歯片もしくは歯根の脱臼範囲を広げ過ぎ、それにより全体を摘出すると共に続く抜歯片の咽頭への落下およびその呑み込み原因になる。
【０００６】
【発明が解決しようとする課題】
本発明は、第３上大臼歯もしくは親知らずの摘出を課題とし、従来鉗子による閉じ込めを促進すると共に円滑安全な摘出を可能にする抜歯鉗子を提供する。
【０００７】
【課題を解決するための手段】
本発明は後上大臼歯もしくはその残部のための抜歯鉗子に関し、本発明による抜歯鉗子は、特に抜歯を持ち上げるためのエレベータを兼ね備えた鉗子であって、蝶番により相互に連結され角度を付けたまたは湾曲した２つの可動部で構成された能動部、および前記蝶番を介して前記可動部から延在する受動部を有し、各前記可動部は、正面形状において、左右対称に配置された可動顎を有し、前記可動顎は、後上大臼歯を後方かつ上方へ誘導するために、月を半割したごとき断面形状を形成し、前記断面形状は、２つの前記可動顎が相互に対して対面する凹状前面およびその反対面の凸状背面を有する円弧状面を形成し、かつ幅狭いエッジを前記凹状前面の縁部に有し、２つの前記可動顎は、正面形状において、相互から離れて円形もしくは楕円形に徐々に湾曲し尖端部で接近して終端し、かつ各前記可動部は、側面形状において、前記受動部の長軸に対して前記蝶番の部分で後方へ湾曲傾斜しかつ前記可動顎の部分で尖端部へ向かって前方に湾曲傾斜し、それにより、前記可動顎は、閉鎖位置、即ち鉗子の閉鎖位置において雄牛の一対の角の外観を呈する、即ち、各可動顎は、最初に相互から湾曲して離れ、続いて相互に接近して円形もしくは楕円形を形成することを特徴とする。
【０００８】
口腔の後方への到達を可能にするために本発明による前記可動部は差込み式（ｂａｙｏｎｅｔ）形態の受動部を有し、この受動部は蝶番から対称的に湾曲延設されてＪ形もしくはＬ形の把手部を形成していてよい。
本発明において、尖端部で終端する前記可動部の２つの半月形可動顎は、第２と第３上大臼歯間へ挿入されるときに、雄牛の２本の角の外観を呈し、２つの対称的尖端部により円弧状体を形成する。大臼歯が完全もしくは不完全に出現し、歯列弓の線内にあるかまたは口腔前庭もしくは口蓋へ向かって変位し、かつ歯冠が完全であるかもしくは少なからず破壊されているような場合に、前記可動部を作動させることにより、最も後の大臼歯もしくは歯根残部の後方脱臼を可能にし、その結果として抜歯および昇降を可能にし、それにより従来鉗子による抜歯の閉じ込めおよび円滑安全な摘出を促進する。
【０００９】
【発明の実施の形態】
上歯列弓の両側最後部位の第３大臼歯もしくは最後大臼歯の歯根の残部の脱臼を可能にする本発明に対応する上方に角を有する差込み式エレベータ、即ち抜歯鉗子は添付図面に詳細に示されている。添付図面はこの器具の好適形態の側面図、部分端面図、および正面図を示す。
【００１０】
本発明による鉗子は従来通りの受動部（１）および蝶番（２）を有し、かつ２つの先端部、即ち可動顎（４）で終端する左右対称に配置された差込み式形態の能動部（３）を有し、可動顎（４）は弧状に対称的に湾曲し、その周辺および断面は先端に向かって徐々に細くなり、鉗子を閉鎖したときに一緒になる２つの尖端部で終端して雄牛の２つの角の外観を呈する。
【００１１】
２つの尖端部は、第２と第３の上大臼歯間に挿入でき、第３大臼歯が完全に出現しているか否かにより、またはその歯冠が歯列弓と同一線内にあるかまたは口腔前庭もしくは口蓋へ向かって歯列弓の線から外れて横向きに傾斜している場合、更に歯冠が全体的にもしくは少なからず虫歯もしくは骨折により破折されている場合に、移動させることにより歯根の摘出および遠方、即ち後方への脱臼を可能にし、結果として大臼歯もしくは歯根残部の抜去および昇降を可能にし、それにより大臼歯もしくは歯根残部は従来鉗子において容易に閉じ込められかつ円滑に摘出される。
【００１２】
この器具は金属、プラスチックもしくはセラミック等の充分に強力な材料により形成される。
大臼歯間へ挿入されるこの器具の理想的断面は、半月形もしくは三日月形であり、その挿入を促進する荒い内縁を有し、かつ大臼歯の歯冠を遠方、即ち後方で保持するために凹状前面と凸状背面を有する。
【００１３】
本発明に対応する客体の製造に使用できる材料は、可動顎（４）の長さまたは角度もしくはカーブが同一であるか否か、または表面が円滑もしくは筋溝付きであるか否かとは独立である。
可動顎（４）の曲率または長さは、同様に、一方が他方と同一もしくは異なるか否かについて本発明の課題から独立である。このことは、また、閉鎖時の両尖端部間の間隔、同様の脱臼効果をもたらす断面形態の可能なバリエーション、円形、楕円形、三角形、フラット、紡錘形等についても同様である。
【００１４】
−可動部、即ち能動部（３）の第１セクションの長さならびに角度、および
−受動部、即ち把手部（１）、蝶番（２）および装備できかつ実質的特性に影響を与えない他の付属部の全てに関する変更が可能である。
【図面の簡単な説明】
【図１】（Ａ）は本発明による大臼歯鉗子の実施形態の側面図、（Ｂ）は矢印方向の断面図である。
【図２】図１の正面図である。
【符号の説明】
１…受動部
２…蝶番
３…可動部
４…可動顎
【図１】
0004205230.tif 000002
【図２】
0004205230.tif 000003